(57)【要約】      （修正有）【課題】マスクの出し入れが容易なようにシンプルな構造を備え、低コストで製造可能なマスクケースを提供する。【解決手段】マスクケースは、第１面Ａと第２面を備えた方形状の紙製シート１からなる。抗菌加工が施された方形状の紙製シート１は、略長方形状のマスク装着部２と略長方形状のカバー部３と、からなり、マスク装着部２とカバー部３の境界に沿って折り畳み可能であり、マスク装着部２には、２つの引っ掛け部２１が長手方向に対向状に離間して形成されており、マスク装着部２の第１面Ａに位置させたマスクの左右の耳掛け部をマスク装着部２の第２面において各引っ掛け部２１に引っ掛け可能となっており、紙製シート１は、折り畳み時に、マスク装着部２とカバー部３の間にマスク本体を挟み込んだ状態で収納可能となっており、折り畳み時にカバー部３の差し込みフラップ３０をマスク装着部２の被差し込みスリット２２に差し込むことで、折り畳み状態が維持可能となっている。【選択図】図１
0003227866.tif 000002
【実用新案登録請求の範囲】
【請求項１】
第１面と第２面を備え、第１面、あるいは、第１面及び第２面の両面に抗菌加工が施された方形状の紙製シートからなり、
前記紙製シートは、当該紙製シートの一方の半部からなる略長方形状のマスク装着部と、他方の半部からなる略長方形状のカバー部と、からなり、前記マスク装着部と前記カバー部の境界に沿って折り畳み可能であり、
折り畳み時には、前記マスク装着部の第１面と前記カバー部の第１面の間にマスクを挟み込んだ状態で当該マスクを収納可能となっており、
前記マスク装着部には、当該マスク装着部の長辺に沿って被差し込みスリットが形成されており、
前記カバー部の長辺には、差し込みフラップが一体形成されており、
折り畳み時に、前記マスク装着部と前記カバー部の長辺は略一致するようになっており、前記差し込みフラップを折り曲げて、前記マスク装着部の第２面において前記被差し込みスリットに差し込むことで、折り畳み状態が維持可能となっており、
前記マスク装着部には、２つの引っ掛け部となるスリットが長手方向に対向状に離間して形成されており、当該マスク装着部の第１面に位置させたマスクの左右の耳掛け部を、当該マスク装着部の短辺からそれぞれ掛け回して当該マスク装着部の第２面において各引っ掛け部に引っ掛け可能となっている、
マスクケース。
【請求項２】
前記紙製シートの第１面、あるいは／および、第２面には、広告が印刷されており、その上に抗菌加工が施されている、
請求項１に記載のマスクケース。
【請求項３】
前記マスク装着部と前記カバー部との境界には、折り筋が形成されており、
前記差し込みフラップと前記カバー部の長辺との境界には、折り筋が形成されている、
請求項１、２いずれか１項に記載のマスクケース。
【考案の詳細な説明】
【技術分野】
【０００１】
本考案は、マスクケースに関するものである。
【背景技術】
【０００２】
従来、マスクは、花粉症や風邪やインフルエンザ患者等の限られた者が季節的に着用することが普通の姿であった。しかしながら、新型コロナウイルスの登場に伴って、マスク着用が新型コロナウイルスの感染拡大を防ぐための有効な手段として認知されるようになり、いわゆる新しい生活様式ないしNew Normalでは、日常生活でマスクを着用することが標準となったと言っても過言でない。
【０００３】
しかしながら、日常生活において、マスクを外さなければならない場面がしばしばあり、その時に、外したマスクをどのように衛生的に保管するかは身近でかつ悩ましい課題となっている。典型的な例では、飲食店やレストランでは、入店の際にマスク着用が奨励されている一方、食事の際には、マスクを外す必要があり、また、「外したマスクはテーブルには置かないでください」といった注意喚起の表示を目にすることもある。
【０００４】
したがって、取り外したマスクを一時的に衛生的に保管したいというニーズがある。このようなマスクケースは、例えば、特許文献１に開示されている。特許文献１に係るマスクケースは、上記ニーズに応えるものではあるが、ケース構造が複雑なものとなっている。
【０００５】
日常的（例えば、食事の都度）にマスクを脱着することから、この種のマスクケースの使用頻度は高く、より簡単にマスクを収納しかつ取り出せるものであることが望ましい。また、マスクケースの使用頻度が高いことは、それだけマスクケースが汚染される可能性が高くなることを意味し、新型コロナウイルスの感染リスクを可及的に低減させるためには、マスクケースをマスクと同じような頻度で早めに新しいものに交換することが望ましく（極端な例では使い捨て）、簡単に製造できて低コストで提供できるマスクケースのニーズがある。
【特許文献１】実用新案登録第3222103号
【考案の開示】
【考案が解決しようとする課題】
【０００６】
本考案は、マスクの出し入れが容易なようにシンプルな構造を備え、低コストで製造可能なマスクケースを提供することを目的とするものである。
【課題を解決するための手段】
【０００７】
本考案が採用した技術手段は、
第１面と第２面を備え、第１面、あるいは、第１面及び第２面の両面に抗菌加工が施された方形状の紙製シートからなり、
前記紙製シートは、当該紙製シートの一方の半部からなる略長方形状のマスク装着部と、他方の半部からなる略長方形状のカバー部と、からなり、前記マスク装着部と前記カバー部の境界に沿って折り畳み可能であり、
折り畳み時には、前記マスク装着部の第１面と前記カバー部の第１面の間にマスクを挟み込んだ状態で当該マスクを収納可能となっており、
前記マスク装着部には、当該マスク装着部の長辺に沿って被差し込みスリットが形成されており、
前記カバー部の長辺には、差し込みフラップが一体形成されており、
折り畳み時に、前記マスク装着部と前記カバー部の長辺は略一致するようになっており、前記差し込みフラップを折り曲げて、前記マスク装着部の第２面において前記被差し込みスリットに差し込むことで、折り畳み状態が維持可能となっており、
前記マスク装着部には、２つの引っ掛け部となるスリットが長手方向に対向状に離間して形成されており、当該マスク装着部の第１面に位置させたマスクの左右の耳掛け部を、当該マスク装着部の短辺からそれぞれ掛け回して当該マスク装着部の第２面において各引っ掛け部に引っ掛け可能となっている、
マスクケース、である。
【０００８】
１つの態様では、前記紙製シートの第１面、あるいは／および、第２面には、広告が印刷されており、その上に抗菌加工が施されている。
【０００９】
１つの態様では、前記マスク装着部と前記カバー部との境界には、折り筋が形成されており、前記差し込みフラップと前記カバー部の長辺との境界には、折り筋が形成されている。
【考案の効果】
【００１０】
本考案に係るマスクケースはシンプルな構成であることから、マスクの出し入れが容易であり、また、型抜きによって、紙製シートから一体的に形成することができるので、低コストで製造可能であり、低廉なマスクケースを提供することができる。
本考案にかかるマスクケースは、例えば、飛行機・列車などの乗り物や、レストラン・居酒屋などで飲食する顧客に廉価で提供することが可能である。また、食事後にそのまま放置された場合でも、紙製なので燃えるゴミとして廃棄できることから取り扱いが容易である。
【００１１】
印刷の上から抗菌ニスコートを加工するものでは、マスクケースの表裏に広告宣伝を印刷することで、取り外したマスクを収納するという実用性を備えた販促品として提供することが可能である。
【図面の簡単な説明】
【００１２】
【図１】第１実施形態に係るマスクケースの展開図である。
【図２】第２実施形態に係るマスクケースの展開図である。
【図３】第２実施形態に係るマスクケースを用いたマスクの収納工程を示す図である。
【図４】マスクを収納したマスクケースの使用態様の例を示す図である。
【考案を実施するための形態】
【００１３】
図１は、第１実施形態に係るマスクケースの展開図であって、マスクケースは、第１面Ａと第２面Ｂを備えた方形状の紙製シート１からなる。本明細書では、マスク本体が装着される側を第１面Ａとする。図１では、紙製シート１の第１面Ａ側を示している。方形状の紙製シート１は、第１幅方向に延びる第１辺１０及び第２辺１１と、第２幅方向に延びる第３辺１２及び第４辺１３とを備えており、第１幅方向の中央部位には、第２幅方向に延びる折り筋１４が、第１辺１０と第２辺１１との間の全幅に亘って形成されている。
【００１４】
紙製シート１において、折り筋１４の一側の領域が長方形状のマスク装着部２となっており、他側の領域が長方形状のカバー部３となっている。すなわち、紙製シート１は、折り筋１４を挟んで、一側の半部がマスク装着部２となっており、他側の半部がカバー部３となっている。紙製シート１の第１辺１０の半部１０ａ、第２辺１１の半部１１ａが、長方形状のマスク装着部２の短辺となっており、第３辺１２、折り筋１４がマスク装着部２の長辺となっている。紙製シート１の第１辺１０の半部１０ｂ、第２辺１１の半部１１ｂが、長方形状のカバー部３の短辺となっており、第４辺１３、折り筋１４がカバー部３の長辺となっている。
【００１５】
紙製シート１は、折り筋１４において折り畳み可能となっている。本実施形態では、紙製シート１は、折り筋１４おいて、マスク装着部２の第１面Ａとカバー部３の第１面Ａが近づく方向に折り畳み易い構造となっている。なお、折り筋１４において、谷折り、山折りのいずれの方向の折り畳みが可能となっていてもよい。また、紙製シート１に筋入れ加工で折り筋１４を形成する代わりに、製造時に折り加工を行うことで、マスク装着部２とカバー部３の境界に折り目をつけるようにしてもよい。
【００１６】
マスク装着部２とカバー部３の幅寸法（第１幅方向の幅寸法ないし短手方向の幅寸法）は同一ないし略同じであり、マスク装着２とカバー部３の面積は略同じであり、折れ筋１４において紙製シート１を折り畳んだ時に、マスク装着部２の面部とカバー部３の面部が略一致して重なり、マスク装着部２の長辺１２とカバー部３の長辺１３が略一致するようになっている。
【００１７】
マスク装着部２の面部には、略半円状のスリット２０が長手方向に対向かつ離間して形成されており、２つのスリット２０は、各スリット２０の湾曲部が向かい合うように形成されている。より具体的には、一方のスリット２０は、マスク装着部２の短辺１０ａに寄った位置に、平面視において、短辺１０ａから離れる方向に膨らむような湾曲状の切り込みとして形成されており、他方のスリット２０は、マスク装着部２の短辺１１ａに寄った位置に、平面視において、短辺１１ａから離れる方向に膨らむような湾曲状の切り込みとして形成されている。スリット２０で囲まれた部位がマスク装着部２の面部に対して浮き上がるように変形可能な引っ掛け部２１となっている。
【００１８】
引っ掛け部２１はマスク装着部２の面部と一体で接続されている基端側を介して当該面部に対して浮き上がるように回動可能ないし変形可能となっており、マスク装着部２の第１面Ａに位置させたマスク５の左右の耳掛け部（耳掛けバンド、ゴム、紐等）５１をマスク装着部２の短辺１０ａ、１１ａからそれぞれ掛け回して第２面Ｂにおいて各引っ掛け部２１に引っ掛けて保持できるようになっている。なお、スリット２０は全体に亘ってマスク装着部２の面部から切り離されていなくてもよく、例えば、湾曲部が部分的にマスク装着部２の面部と接続されており、素手で容易に切り離すことで引っ掛け部２１が形成可能となっていてもよい。
【００１９】
マスク装着部２の面部には、長辺１２に寄った部位において、長辺１２に沿って第２幅方向に延びる緩やかな湾曲状ないし弓状のスリット２２が形成されており、このスリット２２は被差し込みスリットとして機能する。カバー部３の長辺１３の長さ方向の中央部位には、スリット２２に差し込み可能な差し込みフラップ３０が一体的形成されている。差し込みフラップ３０とカバー部３の長辺１３との境界には折り筋１５が形成されている。差し込みフラップ３０は、緩やかな湾曲状ないし弓状の周縁３００を備えている。なお、折り筋１５において、谷折り、山折りのいずれの方向の折り畳みが可能となっていてもよい。また、紙製シート１に筋入れ加工で折り筋１５を形成する代わりに、製造時に折り加工を行うことで、フラップ３０とカバー部３の長辺１３との境界に折り目をつけるようにしてもよい。
【００２０】
図２は、第２実施形態に係るマスクケースの展開図であって、基本的な構成は、第１実施形態に係るマスクケースと同じであり、同じ参照番号が付された部分の説明については、既述の説明を援用することができる。第２実施形態では、差し込みフラップ３０´が、カバー部２の長辺１３の全長（第２幅方向）に亘って形成されており、カバー部３の長辺１３は折り筋１５から形成されている。差し込みフラップ３０´は緩やかな湾曲状ないし弓状の周縁３００´を備えている。第２実施形態では、カバー部３の第１方向の幅寸法は、マスク装着部２の第１方向の幅寸法よりも僅かに大きくなっている。
【００２１】
マスクケースに対するマスク５の収納工程について、図３を参照しつつ説明する。ここでは、第２実施形態に係るマスクケースに基づいて説明するが、以下の記載は、第１実施形態のマスクケースに対するマスク５の収納にも援用することができる。マスク装着部２の第１面Ａにマスク５のマスク本体（口元・鼻の覆い部）５０を載せて、カバー部３でマスク本体５０を覆うように紙製シート１を折り畳むことで、マスク装着部２の第１面Ａとカバー部３の第１面Ａの間にマスク本体５０を挟み込んだ状態で収納する。この時、マスク装着部２の長辺１２とカバー部３の長辺１３は略一致するようになっており、差し込みフラップ３０´をマスク装着部２の長辺１２から回して折り曲げて、第２面Ｂにおいて被差し込みスリット２２に差し込むことで、折り畳み状態が維持される。折り畳み状態において、マスク５の左右の耳掛け部５１は、折り畳んだ状態の短辺１０ａ、１０ｂ、１１ａ、１１ｂから突出している。マスク５の左右の耳掛け部５１をマスク装着部２の短辺１０ａ、１１ａからそれぞれ掛け回して第２面Ｂにおいて各引っ掛け部２１に引っ掛けて保持することで、マスクケースに対するマスク５の収納が完成する。
【００２２】
本実施形態に係るマスクケースを用いることで、取り外したマスク５を手間をかけずに速やかにマスクケースに収納することができる。マスクケースからマスク５を取り出す際には、マスク５の耳掛け部５１を引っ掛け部２１からは外し、被差し込みスリット２２から差し込みフラップ３０´を抜いて、折り畳まれた紙製シート１を展開すればよいので、マスク５を速やかに取り出すことができ、マスク５の出し入れを容易に行うことができる。なお、本実施形態に係るマスクケースは、新品のマスクを装着した状態で提供してもよい。すなわち、図３に示すマスク５が新品のマスク５である場合に、図３の最下位の図の状態で提供してもよい。
【００２３】
紙製シート１の第１面Ａ、あるいは／および、第２面Ｂに、広告を印刷してもよい。広告は、公共広告、商業広告を問わない。また、広告は広義に解釈されるものであり、広告にリンクされたＱＲコード（登録商標）等の情報を含むものとする。新型コロナウイルスの登場によりマスク着用が習慣化し、マスク着用が広く浸透していることから、マスクケースの利用頻度も増大すると考えられ、マスクケースに広告を印刷することによる宣伝効果が期待される。
【００２４】
紙製シート１の第１面Ａ、および、第２面Ｂには、抗菌印刷が施されている。抗菌印刷は、抗菌剤入り印刷二スを表面コーティングする加工処理である。本実施形態では、広告等の印刷の上から抗菌ニスコート加工を行う。抗菌印刷は公知であって、例えば、特許3030310号、特許3401571号、特開2010-194723に記載されている。
【００２５】
マスク５の収納状態において、マスク本体50は、抗菌加工が施されたマスク装着部２の第１面Ａとカバー部の第１面Ａに挟まれているので、マスク５を衛生的に保管することができる。また、折り畳んだ状態の外部に面するマスク装着部２及びカバー部３の第２面Ｂにも抗菌加工を施すことで、マスク５を収納したマスクケースをテーブルに置いたり、カバンやポケット等に入れて収納したりする際も衛生的に取り扱うことができる。また、図４に示すように、片方の耳掛け部５１をマクケースの引っ掛け部２１に係止せずに、片方の耳掛け部５１を利用して、フックなどに引っ掛けてぶら下げることもできる。
【００２６】
本実施形態に係るマスクケースは、以下の一連の工程で製造することができる。
（ア）紙製シートを所定形状に打ち抜いて、略方形であり、フラップ３０、３０´を備えた紙製シート１を得る。
（イ）紙製シート１にスリット２０、２２を切り込み加工で形成する。
（ウ）紙製シート１に筋入れ加工を行って折り筋１４、１５を形成する。
（エ）紙製シート１に広告やSIAAマークやその他の情報の印刷を行う。
（オ）紙製シート１に、上記印刷の上から抗菌ニスを印刷して、抗菌層を形成する。
【００２７】
本考案に係るマスクケースは、型抜きによって一連の工程で得られる一体物であり、貼り合わせ部分が無く、また、複数の要素を組み合わせる工程が必要無いので、製造コストも安価である。また、紙製シート１を基材としているので、広告等の印刷加工や抗菌印刷も容易である。
【符号の説明】
【００２８】
１  紙製シート
２  マスク装着部
１０ａ  短辺
１１ａ  短辺
１２  長辺
２０  スリット
２１  引っ掛け部
２２  被差し込みスリット
３  カバー部
１３  長辺
３０  差し込みフラップ
３０´  差し込みフラップ
Ａ  第１面
Ｂ  第２面
【図１】
0003227866.tif 000003
【図２】
0003227866.tif 000004
【図３】
0003227866.tif 000005
【図４】
0003227866.tif 000006